(57)【特許請求の範囲】
【請求項１】
モーター（１１）及び減速機（１２）を有する駆動部（１０）と、２つのうちの１つ目が前記減速機（１２）の軸と接続され、２つ目がハウジング（４０）の側壁に接続されている２つの支持部（２０）と、前記両支持部（２０）のディスク（２２）に偏心的に接続されている指圧部（３０）と、前記駆動部（１０）、支持部（２０）及び指圧部（３０）を収容するハウジング（４０）と、を含む脊椎筋肉の強化装置において、
前記ディスク（２２）の外側に支持板軸（２１）を有し、前記ディスク（２２）の内側に一定の深さだけ上部が湾曲し、下部が直線的な長方形溝（２３）が形成されており、前記溝（２３）に収容されているスプリング（２４）、指圧棒の軸（３１）を支持するためのベースプレート（２５）、及び前記スプリング（２４）及びベースプレート（２５）の離脱を防止するように溝（２３）を覆うための上下が湾曲する長方形のカバー穴（２９）を有するカバー（２６）を含むことを特徴とする脊椎筋肉の強化装置。
【請求項２】
前記支持板軸（２１）を中心に前記ディスク（２２）の溝（２３ａ）と対称的に形成されている別の溝（２３ｂ）にスプリング（２４）、ベースプレート（２５）、カバー（２６）及び指圧部（３０）をさらに含むことを特徴とする請求項１に記載の脊椎筋肉の強化装置。
【発明の詳細な説明】
【技術分野】
【０００１】
本発明は、脊椎を取り囲む脊椎の筋肉の強さと柔軟性とを高めることにより、脊椎の筋肉を強化する脊椎筋肉の強化装置に関する。
【背景技術】
【０００２】
人体の柱の役割をする脊椎は、脊椎体と椎間板とをはじめ、様々な関節と神経とで構成されており、停止中や運動中のバランスを維持する軸の役割をする。そして脊椎は、上から７個の頸椎、１２個の胸椎、５個の腰椎、５個の仙椎及び４個の美醜（尾骨）で構成されており、それらの間には衝撃を吸収するための「ディスク」と呼ばれる椎間板が一つずつある。
【０００３】
日常的な運動、例えば歩行時や物を持ち上げる時において脊椎に過度な負担が掛かったり、或いは通常時における良くない姿勢が脊椎側弯症、脊椎前弯症、脊椎後弯症、脊椎椎間板ヘルニア、脊椎疼痛症候群などの脊椎疾患を発生させる原因になっている。
【０００４】
脊椎側弯症は、正面から見たとき「１」の字型ではなく異常に曲がった現象をいい、脊椎前弯症は、下部の腰椎や仙椎が過度に前方に曲がって腹部とお尻とが飛び出たように見える脊椎疾患である。これとは異なり、脊椎後弯症は、高齢者が背中と腰とが曲がって杖をついていたときのように、腰椎や仙椎が過度に後方に曲がった脊椎疾患である。また、脊椎椎間板ヘルニアは、椎間板の一部が被膜を裂いて脱出した状態になったものであり、一般的に、ディスクの疾患を意味する。脊椎疼痛症候群は、様々な原因で脊椎の痛みを誘発する疾患である。
【０００５】
前記脊椎関連疾患は、脊椎を取り囲む半棘筋、多裂筋、回転筋など脊椎の筋肉の悪い姿勢のために発生する場合が多い。脊椎の筋肉の強さと柔軟性とを高めると、筋肉の血液循環が増加して損傷部位への適切な栄養供給、細胞の再生、および炎症の解消などの作用がもたらされるので、損傷部位を治癒することができる。
【０００６】
これらの異常な脊椎を矯正するために、韓国登録特許第１０−０９９６４８９号公報では、「一対一カスタマイズ脊椎体型矯正器とその成形方法」を提示しているが、この矯正器は、脊椎圧迫板や補助圧迫板が単に脊椎を下から上に打つだけなので、脊椎の筋肉を柔軟にし、強化するのには不十分である。
【０００７】
また、韓国登録実用新案第２０−０４０２９０７号公報は、「水平および垂直運動方式の多段ローリングシステムが備えられているマッサージベッド」を提示している。このベッドは、その構成要素として下部ローリング部（１０）、３段ローリング部（２０）及び上部ローリング部（３０）を有し、３段ローリング部（２０）は、１２０度の角度を維持する３つの回同軸（２１’）を備え、それぞれの回同軸（２１’）には、多数の指圧ローラー（２１）が設けられる。しかし、ボール状の指圧ローラーは、人体の一部に連続して力が加わって痛みを感じるとともに、３つの回同軸に接続されている指圧ローラーが同じ力で繰り返し頸椎を押すので、患者が痛みを感じるようになり、さらには皮膚を傷める恐れがある。また、頸椎との接触時間が長くなるので、指圧効果が不十分である。脊椎の筋肉を強化するには、一定の間隔で長い期間柔軟に指圧をしていないと効果がない。
【発明の概要】
【発明が解決しようとする課題】
【０００８】
本発明者は、上述の問題点を解決しようと研究した結果、指圧棒が支持部において偏心した回転運動をして、複数の指圧棒の代わりに１つまたは２つの指圧棒により遅い速度で指圧するが、脊椎の凹凸に沿って柔軟に指圧することにより、患者が痛みを感じず、皮膚を保護することができ、頸椎との接触時間を長く維持することができるという知見が得られ、本発明を完成するに至った。
【０００９】
したがって、本発明の目的は、患者が痛みを感じず、肌を傷つけないようにし、また、頸椎との接触時間を長くすることができる脊椎筋肉の強化装置を提供することにある。
【課題を解決するための手段】
【００１０】
本発明の目的は、下記の第１、第２及び第３の実施形態に係る脊椎筋肉の強化装置によって達成される。
【００１１】
本発明の第１実施形態は、モーター及び減速機を有する駆動部と、一側が前記減速機の軸と接続され、他側がハウジングの側壁に接続されている２つの支持部と、前記両支持部のディスクに偏心的に接続されている指圧部と、前記駆動部、支持部及び指圧部を収容するハウジングと、を含む脊椎筋肉の強化装置を提供する。
【００１２】
本発明の第２実施形態は、前記支持部の一側は、前記減速機の軸と接続され、他側はハウジングの側壁に接続され、ディスクの外側に支持板軸を有し、前記ディスクの内側に一定の深さだけ上部が湾曲し、下部が直線的な長方形溝が形成されており、前記溝に収容されているスプリング、指圧棒の軸を支持するためのベースプレート、及び前記スプリング及びベースプレートの離脱を防止するように溝を覆うための上下が湾曲する長方形のカバー穴を有するカバーを含むことを特徴とする請求項１に記載の脊椎筋肉の強化装置を提供する。
【００１３】
本発明の第３実施形態は、前記支持板軸を中心に前記ディスクの溝と対称的に形成されている別の溝にスプリング、ベースプレート、カバー及び指圧部をさらに含むことを特徴とする請求項１又は２に記載の脊椎筋肉の強化装置を提供する。
【発明の効果】
【００１４】
本発明に係る脊椎筋肉の強化装置は、脊椎の凹凸部分に沿って柔軟に指圧することにより、患者が痛みを感じず、複数回繰り返される指圧による皮膚の損傷を防止することができ、頸椎との接触時間を効果的に長く維持することができる。
【図面の簡単な説明】
【００１５】
【図１】図１は、本発明の第１実施形態における脊椎筋肉の強化装置の斜視図である。
【図２】図２は、本発明の第１実施形態における脊椎筋肉の強化装置の平面図である。
【図３】図３は、本発明の第１実施形態における脊椎筋肉の強化装置の動作状態を示した図である。
【図４】図４は、本発明の第１実施形態における脊椎筋肉の強化装置の使用状態を示した図である。
【図５】図５は、本発明の第１実施形態における脊椎筋肉の強化装置の要部の分解斜視図である。
【図６】図６は、本発明の第２実施形態における脊椎筋肉の強化装置において支持部と指圧部とが結合されている状態を示した図である。
【図７】図７は、本発明の第２実施形態における脊椎筋肉の強化装置の要部の分解斜視図である。
【図８】図８は、本発明の第３実施形態における脊椎筋肉の強化装置の要部の分解斜視図である。
【発明を実施するための形態】
【００１６】
以下、添付図面を参考に実施例として本発明に係る脊椎筋肉の強化装置をさらに詳細に説明する。しかし、これらの実施例が本発明を限定するものではない。
【００１７】
図１乃至図５は、本発明の第１実施形態における脊椎筋肉の強化装置を示しており、モーター（１１）及び減速機（１２）を有する駆動部（１０）と、前記減速機（１２）の軸（１３）に接続されている支持部（２０）と、前記支持部（２０）に偏心的に接続されている指圧部（３０）と、前記駆動部（１０）、支持部（２０）及び指圧部（３０）を収容するハウジング（４０）と、で構成されている。
【００１８】
駆動部（１０）のモーター（１１）は、減速機（１２）に接続されており、減速機（１２）は支持部（２０）の支持板軸（２１）に接続され、指圧棒（３２）の軸（３１）は、前記支持部（２０）のディスク（２２）と偏心的に接続されている。
【００１９】
本発明の第１の実施形態における指圧棒（３２）は、一本のみで構成されている。指圧棒（３２）が３つ以上ある場合、頸椎との接触が断続的に行われて指圧効果が不十分になる。頸椎との接触時間を長くするには、遅い速度で指圧棒（３２）を一つだけ回転させることが指圧効果を最大にすることができる。本発明者によって複数回繰り返された試験の結果、減速機（１２）の回転速度は、約４０ｒｐｍ程度で脊椎筋肉の強化に最も効果のあることが明らかになった。
【００２０】
前記指圧棒軸（３１）は、ディスク（２２）の内側に固定結合されており、それ自体は回転しない。また、指圧棒軸（３１）は、それ自体が回転可能なように接続することができ、接続部分に摩擦力を減らすためのベアリングを備えることができる。指圧棒（３２）は、それ自体が回転可能なように指圧棒軸（３１）が挿入されている。指圧棒（３２）の材料は、ゴムや伸縮性のあるプラスチックなどであり得る。
【００２１】
モーター（１１）によって減速機（１２）に接続されている支持板軸（２１）を介して伝達される力は、ディスク（２２）を回転させて、ディスク（２２）の内側に接続されている指圧棒軸（３１）が円運動をする。前記ディスク（２２）及び指圧棒軸（３１）の円運動によって指圧棒（３２）が脊椎の筋肉と密着すると、回転と同時に脊椎の筋肉を指圧することになる。図１、２、３、５に示すように、指圧棒（３２）の直径はディスク（２２）の直径よりも大きい。
【００２２】
図３は、ディスク（２２）が回転することによって指圧棒（３２）が偏心的に円運動する状態を順に示す。図３（ａ）は指圧棒（３２）が一番下に位置する状態を、そして図３（ｃ）は指圧棒（３２）が一番上に位置する状態をそれぞれ示すもので、図３（ａ）において指圧が行われる。
【００２３】
図５に示すように、ハウジング（４０）は、その下面は平らで、且つ、駆動部（１０）と支持部（２０）との間に隔壁が備えられており、ハウジング（４０）の側面は台形形状であり、その上部は指圧部（３０）が突出するように開放されている。前記隔壁には、減速機の軸が貫通するように孔が形成されており、右側の壁には、指圧棒軸（３１）が挿入されるように穴が形成されている。そして駆動部（１０）を覆うように駆動部カバー（４１）が設けられている。
【００２４】
図６及び図７は、本発明の第２実施形態として脊椎の凹凸に沿って伸縮的に脊椎の筋肉を指圧する指圧棒軸（３１）をスプリング（２４）が支える脊椎筋肉の強化装置を示す。
【００２５】
本発明の第２実施形態における脊椎筋肉の強化装置において、前記２つの支持部（２０）のいずれかは、ディスク（２２）の外側に形成されている支持板軸（２１）を介して前記減速機（１２）の軸（１３）に接続されており、もう一つは、ハウジング（４０）の側壁に接続されている。
【００２６】
前記ディスク（２２）は、その外側に支持板軸（２１）を有し、その内側には、一定の深さだけ支持板軸（２１）の上に位置するように長方形の溝（２３ａ）が設けられている。前記溝（２３ａ）の上部は湾曲し、下部は直線的な長方形になっている。前記溝（２３ａ）には、スプリング（２４）及び指圧棒軸（３１）を支持するためのベースプレート（２５）が挿入されている。そして、前記スプリング（２４）及びベースプレート（２５）の離脱を防止するように溝（２３ａ）を覆うカバー（２６）を有する。前記溝（２３ａ）の周囲には、ボルト（２７）を締結するためにの多数のボルト穴（２８）が形成されている。前記カバー（２６）には、指圧棒軸（３１）がスプリング（２４）の作用により上下に伸縮移動可能な上下が湾曲する長方形のカバー穴（２９）を有する。
【００２７】
また、前記カバー（２６）には、カバー（２６）をディスク（２２）に締結するための多数のボルト穴（２８）がディスク（２２）に形成されているボルト穴（２８）と同じ数だけ形成されている。
【００２８】
前記ベースプレート（２５）の上部は指圧棒軸（３１）を収容するように半円形をなしており、下部はフラットになっている。前記ベースプレート（２５）の下には、スプリング（２４）が位置している。指圧棒（３２）が脊椎部分と密着すると、脊椎部分の凹凸に沿って柔軟に上下に動くようになっていて、一定の部位に強度の高い力が加わらないようにしている。
【００２９】
図７及び図８は、本発明の第３実施形態として、第２実施形態と同じ支持部（２０）が支持板軸（２１）を中心に対称的に形成されていることを示す。詳細に説明すると、溝（２３ａ）の反対側には、同じ溝（２３ｂ）が対称的に形成されており、その溝（２３ｂ）内にスプリング（２４）、ベースプレート（２５）、カバー（２６）及び指圧部（３０）をさらに含む。
【符号の説明】
【００３０】
１０        駆動部
１１        モーター
１２        減速機
１３        減速機軸
２０        支持部
２１        支持板軸
２２        ディスク
２３ａ，２３ｂ    溝
２４        スプリング
２５        ベースプレート
２６        カバー
２７        ボルト
２８        ボルト穴
２９        カバー穴
３０        指圧部
３１        指圧棒軸
３２        指圧棒
４０        ハウジング
４１        駆動部カバー
【図１】
0006801121.tif 000002
【図２】
0006801121.tif 000003
【図３（ａ）】
0006801121.tif 000004
【図３（ｂ）】
0006801121.tif 000005
【図３（ｃ）】
0006801121.tif 000006
【図３（ｄ）】
0006801121.tif 000007
【図４】
0006801121.tif 000008
【図５】
0006801121.tif 000009
【図６】
0006801121.tif 000010
【図７】
0006801121.tif 000011
【図８】
0006801121.tif 000012